(57)【要約】  【目的】  インキを直接収容し、開口部を栓体で密閉するタイプのインキカートリッジを吊り下げ販売する際、不用意に落下しても栓体が開栓してインキ漏れを生じる虞のない筆記具用インキカートリッジ包装体を提供する。  【構成】  インキ９を直接収容し開口部７２を栓体８で密栓してなる、筆記具本体に着脱可能なインキカートリッジ６を内包する筆記具用インキカートリッジ包装体１において、前記包装体１が吊り下げ用ヘッダ部３と、背面フィルムと前面フィルムとの間にインキカートリッジ６を開口部７２上向きで内包する袋状部４から構成され、前記袋状部４が、ヘッダ部３下端とインキカートリッジ６上端との間に、背面フィルムと前面フィルムを接着する接着部５を有する。  【選択図】  図１
2009107650.tif 000002
【特許請求の範囲】
【請求項１】
インキを直接収容し開口部を栓体で密栓してなる、筆記具本体に着脱可能なインキカートリッジを内包する筆記具用インキカートリッジ包装体において、
前記包装体が吊り下げ用ヘッダ部と、背面フィルムと前面フィルムとの間にインキカートリッジを開口部上向きで内包する袋状部から構成され、
前記袋状部が、ヘッダ部下端とインキカートリッジ上端との間に、背面フィルムと前面フィルムを接着する接着部を有することを特徴とする筆記具用インキカートリッジ包装体。
【請求項２】
前記インキカートリッジの開口部内径が５ｍｍ〜２５ｍｍであることを特徴とする請求項１記載の筆記具用インキカートリッジ包装体。
【請求項３】
前記インキカートリッジの開口部の密栓力が２０ｇ／ｍｍ２以上であることを特徴とする請求項１又は２に記載の筆記具用インキカートリッジ包装体。
【請求項４】
前記インキカートリッジがインキ収容部の７５〜９５％の範囲でインキを収容することを特徴とする請求項１乃至３のいずれかに記載の筆記具用インキカートリッジ包装体。
【請求項５】
前記インキカートリッジに収容されるインキが油性インキであり、２０℃の蒸気圧が４〜４８ｍｍＨｇの有機溶剤を主溶剤とすることを特徴とする請求項１乃至４のいずれかに記載の筆記具用インキカートリッジ包装体。
【発明の詳細な説明】
【技術分野】
【０００１】
本発明は、筆記具用インキカートリッジ包装体に関する。更には、落下時によるインキ漏れを抑制する筆記具用インキカートリッジ包装体に関する。
【背景技術】
【０００２】
従来、筆記具に用いられる着脱可能なインキタンクとしては、上方を開口するインキ収容部にインキを直接収容し、前記開口部を栓体で密閉するタイプのインキカートリッジが広く用いられている（例えば特許文献１参照）。
前記筆記具は、筆記によりインキを使い切った際にカートリッジを交換することで再び筆記できる経済性に優れたものである。そのため、交換用のインキカートリッジ単体で販売されており、店頭では、インキカートリッジを直接又は複数本を箱体に収容した後、ヘッダ付の袋体に収容して吊り下げ陳列される（例えば特許文献２参照）。
前記構成で吊り下げ陳列されるもののうち、袋体に直接収容されるインキカートリッジにおいては、店頭で開口部が下向きに落下した際、衝撃で栓体がはずれてインキ漏れを生じることがあった。特に、開口部の内径が大きいものや、インキ収容量が多いものにおいては顕著に生じるものであった。
【特許文献１】特開２００１−２８７４９４号公報
【特許文献２】特開平１１−２０８７１９号公報
【発明の開示】
【発明が解決しようとする課題】
【０００３】
本発明は、インキを直接収容し、開口部を栓体で密閉するタイプのインキカートリッジを吊り下げ販売する際、不用意に落下しても栓体が開栓してインキ漏れを生じる虞のない筆記具用インキカートリッジ包装体を提供するものである。
【課題を解決するための手段】
【０００４】
本発明は、インキを直接収容し開口部を栓体で密栓してなる、筆記具本体に着脱可能なインキカートリッジを内包する筆記具用インキカートリッジ包装体において、前記包装体が吊り下げ用ヘッダ部と、背面フィルムと前面フィルムとの間にインキカートリッジを開口部上向きで内包する袋状部から構成され、前記袋状部が、ヘッダ部下端とインキカートリッジ上端との間に、背面フィルムと前面フィルムを接着する接着部を有することを要件とする。
更に、前記インキカートリッジの開口部内径が５ｍｍ〜２５ｍｍであること、前記インキカートリッジの開口部の密栓力が２０ｇ／ｍｍ２以上であること、前記インキカートリッジがインキ収容部の７５〜９５％の範囲でインキを収容すること、前記インキカートリッジに収容されるインキが油性インキであり、２０℃の蒸気圧が４〜４８ｍｍＨｇの有機溶剤を主溶剤とすることを要件とする。
尚、本発明において「上」とは、開口部側を示し、「下」とは、インキ収容部側を示す。
【発明の効果】
【０００５】
本発明により、店頭で吊り下げ陳列されるインキカートリッジが不用意に落下した際、開口部が下向きで衝突した場合であっても、衝撃を緩和することにより栓体がはずれることを抑制できるので、袋状部内にインキが漏れ出すことを防止できる。
特に、収容するカートリッジの開口部内径が大きい場合やインキ収容量が多い場合には、落下衝撃で栓体が抜け易いために有用である。
また、揮発性の高い油性インキを収容する場合も栓体が抜け易いため、より有用なものとなる。
【発明を実施するための最良の形態】
【０００６】
本発明の筆記具用インキカートリッジ包装体は、吊り下げ用ヘッダ部と、インキカートリッジを開口部上向きで内包する背面フィルムと前面フィルムからなる袋状部とから構成されており、前記袋状部には、ヘッダ部下端と、吊り下げ収容状態でのインキカートリッジ上端との間（即ち、インキカートリッジが下方に位置した際に形成される袋状部上方の空間部）に、背面フィルムと前面フィルムを部分的に接着する接着部が設けられるものである。
前記接着部を設けることで、袋状部上方に形成される空間部を常に維持できるため、開口部下向きでの落下時にインキカートリッジ上端がヘッダ部まで移動することなく接着部近傍で停止する。その際、前記空間部が緩衝作用を発揮してカートリッジへの衝撃を緩和することにより、不用意な落下によるインキ漏れを防止することができる。
尚、前記袋状部に収容されるインキカートリッジは、１本又は複数本で収容される他、着脱可能な筆記具本体と共に収容することもできる。
【０００７】
前記接着部は、接着材による貼着や熱融着等により形成でき、インキカートリッジが袋状部上端に移動しないように、点状、線状、波線状等の形態で部分的に設けることが好ましい。部分的に設けることで、空間部をインキカートリッジ側と連通した状態で袋状部を構成できるため、インキカートリッジの移動に伴って袋状部内の空気が移動し、落下した際に空間部の背面フィルムと前面フィルムが重なった状態で地面に衝突することを抑制できる。
【０００８】
前記袋状部を構成する背面フィルムと前面フィルムは、汎用の包装用フィルムを用いることができ、例えば、ポリエチレン、ポリプロピレン、ポリアミド、ポリエステル等を挙げることができる。
特に、前記フィルムには熱融着が可能なものが好適である。前記熱融着により袋状部やヘッダ部の周縁部分を固着することで、包装体の強度が増すため、落下時にカートリッジへの衝撃をより緩やかにすることができる。
【０００９】
前記ヘッダ部は、吊り下げ陳列用の孔部を有しており、前記袋状部を構成するフィルムと一体に設けられる他、厚紙や樹脂板等により別体で形成したものが用いられる。
前記袋状部を構成するフィルムと一体に設けられる場合、同一の背面フィルムと前面フィルムから、袋状部との境界部分を熱融着することで容易に加工できるため、より好適である。
【００１０】
筆記具用インキカートリッジは、筆記具本体に交換可能に着脱されるものであり、インキを直接収容するインキ収容部と使用時にインキを流出する開口部とを備えるカートリッジ本体と、前記開口部を密栓する栓体とから構成される。
【００１１】
前記インキ収容部は、上方を開口する透明又は不透明の樹脂製筒状部材からなり、開口部を栓体により密栓した際に密閉空間となる、インキを直接貯溜することが可能なスペースを有している。尚、前記開口部の上方は、取り付けられる筆記具本体の結合部分に応じた形状に構成されている。
前記インキ収容部には、全容積に対して７５〜９５％の範囲でインキが収容される。前記範囲とすることで、加温等に伴って内圧が上昇した際にインキ漏れを生じることや、栓体開放時に栓体が十分な隙間で開放され難くなることがなくなる。更に、内部が視認可能な透明性樹脂により構成された場合でもインキ量が少ないと感じることがなくなる。
また、前記インキ収容部には、内周面に軸方向に延びるリブを形成することもできる。特に、インキタンク内に収容するインキとして油性インキを採用した場合、油性インキは一般に表面張力が低く、インキタンク内壁に残留し易い。そのため、前記リブを形成することでインキが内面に付着し難くなり、流動性及び視認性が向上する。
【００１２】
特に、前記開口部は、内径が５ｍｍ〜２５ｍｍのものが適用でき、好ましくは９ｍｍ〜２５ｍｍの大径のものが有用に適用される。
前記内径の開口部を備える場合、落下時の衝撃により栓体が開放し易いため、本願構成の包装体とすることで落下によるインキ漏れに対してより有利なものとなる。
【００１３】
また、前記開口部の密栓力（開口部下向き時にインキ収容部内側から栓体に掛かる抜け力）は２０ｇ／ｍｍ２以上であることが好ましい。これにより、陳列時に落下した場合であっても、前記包装体内で密栓状態を維持できるため、インキ漏れを生じる虞がない。
尚、筆記具本体に対してスムーズにカートリッジを取り付けることができるように、前記開口部の密栓力は１００ｇ／ｍｍ２以下とすることが好ましい。
【００１４】
前記開口部を密栓する栓体は、樹脂、エラストマー、ゴム等から構成される成形物であり、開口部の形状に応じた大きさや形状で成形される。
前記栓体は、ユーザーが使用時に開放して筆記具本体に取り付けるものや、筆記具本体に取り付ける際に押圧開放するもの等が適用できる。
尚、本願構成の包装体は、落下時にインキ漏れを抑制できる構成であるため、落下衝撃に弱い押圧開放式のカートリッジを収容した場合により有効なものとなる。
【００１５】
前記インキ収容部に直接収容されるインキとしては、水性インキ、油性インキのいずれも用いることができるが、主溶剤として水に較べて揮発性の高い有機溶剤を用いた油性インキを収容した際、本願の包装体がより有効に作用する。
【００１６】
前記インキに用いられる有機溶剤としては、従来汎用の溶剤を使用でき、例えば、ベンジルアルコール、エチレングリコール、ジエチレングリコール、プロピレングリコール、ベンジルグリコール、エチレングリコールモノブチルエーテル、エチレングリコールモノヘキシルエーテル、エチレングリコールモノフェニルエーテル、ジエチレングリコールモノエチルエーテル、ジエチレングリコールモノフェニルエーテル、プロピレングリコールモノエチルエーテル、プロピレングリコールモノフェニルエーテル、ジプロピレングリコールモノエチルエーテル、ジプロピレングリコールモノフェニルエーテル、トリプロピレングリコールモノメチルエーテル、トリプロピレングリコールモノエチルエーテル、トリプロピレングリコールモノフェニルエーテル、乳酸メチル、乳酸エチル、γ−ブチロラクトン等を例示できる。
また、筆跡の乾燥性に優れることから、２０℃における蒸気圧が４〜４８ｍｍＨｇの揮発し易い有機溶剤が主溶剤として用いられる場合、揮発によりインキ収容部内側から栓体にかかる負荷が大きいため、落下時のインキ漏れを生じ易い。そのため、本願構成の包装体に収容することでインキ漏れを確実に抑制できるためより有効である。
蒸気圧が４〜４８ｍｍＨｇ（２０℃）の有機溶剤としては、エチルアルコール（４５）、ｎ−プロピルアルコール（１４．５）、イソプロピルアルコール（３２．４）、ｎ−ブチルアルコール（５．５）、イソブチルアルコール（８．９）、ｓｅｃ−ブチルアルコール（１２．７）、ｔｅｒｔ−ブチルアルコール（３０．６）、ｔｅｒｔ−アミルアルコール（１３．０）等のアルコール系有機溶剤、
エチレングリコールモノメチルエーテル（８．５）、エチレングリコールジエチルエーテル（９．７）、エチレングリコールモノイソプロピルエーテル（６．０）、プロピレングリコールモノメチルエーテル（７．６）等のグリコールエーテル系有機溶剤、
ｎ−ヘプタン（３５．０）、ｎ−オクタン（１１．０）、イソオクタン（４１．０）、メチルシクロヘキサン（３７．０）、エチルシクロヘキサン（１０．０）、トルエン（２４．０）、キシレン（５．０〜６．０）、エチルベンゼン（７．１）等の炭化水素系有機溶剤、
メチルイソブチルケトン（１６．０）、メチルｎ−プロピルケトン（１２．０）、メチルｎ−ブチルケトン（１２．０）、ジ−ｎ−プロピルケトン（５．２）等のケトン系有機溶剤、
蟻酸ｎ−ブチル（２２．０）、蟻酸イソブチル（３３．０）、酢酸ｎ−プロピル（２５．０）、酢酸イソプロピル（４８．０）、酢酸ｎ−ブチル（８．４）、酢酸イソブチル（１３．０）、プロピオン酸エチル（２８．０）、プロピオン酸ｎ−ブチル（４５．０）、酪酸メチル（２５．０）、酪酸エチル（１１．０）等のエステル系有機溶剤を例示できる。
尚、括弧内の数字は２０℃におけるそれぞれの有機溶剤の蒸気圧を示す。
【００１７】
前記インキカートリッジは、繊維チップ、フェルトチップ、プラスチックチップ、ボールペンチップ、万年筆型金属チップ等をペン先に備えたマーキングペンやボールペン等の形態の筆記具本体に装着されて実用に供される。
尚、前記筆記具本体には、繊維集束体や多孔質体から構成されるインキ吸蔵体、複数の櫛歯からなるインキ保留部を備えた樹脂成形体（ペン芯）等のインキ保留部材や、ペン先のポンピング等により開閉する弁機構（弁部）等のインキ調整機構が設けられる。
【実施例】
【００１８】
本発明の実施例を以下の図面に従って説明する。
図１は本発明の筆記具用インキカートリッジ包装体の外部視認図である。
【００１９】
図１の筆記具用インキカートリッジ包装体１では、一枚のポリプロピレンフィルムを折り曲げて背面フィルムと前面フィルムとし、左右辺及び底辺を熱融着することで袋状にすると共に、左右両辺間に横方向の熱融着部（仕切部２１）を一本形成することで、上方が吊り下げ用のヘッダ部３、下方がインキカートリッジ６を収容する袋状部４として密閉される包装材２が構成されている。
【００２０】
前記ヘッダ部３には、吊り下げ陳列用の孔部３１が設けられる。また、ヘッダ部３の内部（背面と前面のフィルム間）に厚紙や樹脂板等を収容したり、外面を被覆することで、吊り下げ状態での強度を上げることもできる。
【００２１】
前記袋状部４にはインキカートリッジ６が収容されており、収容するインキカートリッジの大きさに応じて、吊り下げ陳列時（即ち、インキカートリッジ６が下方に移動した際）に空間部４１が上方に形成される大きさに調整されている。
前記空間部４１には、熱融着による点状の接着部５が一つ形成される。これにより、空間部４１を完全に密閉することなくインキカートリッジ側と連通状態とし、袋状部４内での空気の移動が常時維持できる。尚、前記接着部５としては、空間部４１を完全に密閉しなければどのように設けてもよく、複数の点や波線状等も可能である。
そのため、吊り下げ陳列時にインキカートリッジ開口部７２下向きで落下した場合であっても、インキカートリッジ上端が接着部５までしか移動しないため、インキカートリッジ６に直接落下衝撃が加わることがなくなる。その際、空間部４１が密閉されることなく袋状部４内が連通されているため、インキカートリッジ６の移動により空間部４１側の空気が圧縮され、空間部４１内の下側（接着部５側）が膨らむ（背面と前面のフィルム間の距離が広がる）ため、より緩衝効果が高まる。
【００２２】
前記袋状部４内に収容されるインキカートリッジ６は、インキ９を直接内蔵するインキ収容部７１と、使用時にインキを筆記具側に流出する開口部７２とを備えるカートリッジ本体７と、該開口部７２を密栓する栓体８とから構成される。
【００２３】
前記カートリッジ本体７は、上端が開口され且つ下端が閉鎖された内径１１ｍｍの有底円筒体（上方が開口部７２、下方がインキ収容部７１となる）からなり、透明な合成樹脂（例えばポリプロピレン）の射出成形により得られる。
その際、前記インキ収容部７１の内周面には、軸方向に延びる複数本のリブを等間隔に形成することもできる。また、底面（インキと接触する内面）にも複数本のリブを放射状に設けることもできる。これらのリブにより、インキが内面に付着し難くなるため、流動性及び視認性が向上する。
【００２４】
前記インキ収容部７１には、全容積に対して９０％の量で、エタノール（蒸気圧：４５ｍｍＨｇ）を主溶剤とする油性インキ９が直に貯溜されている（即ち、揮発性の高い溶剤を主溶剤とする油性インキ９を多量に貯溜している）。
【００２５】
前記開口部７２に設けられる栓体８は、透明な合成樹脂（例えばポリプロピレン）の円盤形射出成形物であり、開口部７２内で気密嵌合できる大きさに設定されている。
前記栓体８は、ユーザーがカートリッジ６を筆記具本体に取り付けた際に押圧開放されるように嵌合されており、密栓力（開口部７２下向き時にインキ収容部内側から栓体８に掛かる抜け力）が３０ｇ／ｍｍ２に設定されている。そのため、陳列時には密栓状態を維持できると共に、カートリッジ６使用時には筆記具本体にスムーズに取り付けることができる。
【００２６】
前記構成のように、開口部７２内径が大きいため密栓力を得難く、溶剤の揮発とインキ９の重量により開口部下向き状態でインキ収容部内側から栓体８にかかる負荷が大きいため、開口部下向き落下による衝撃に極めて弱いインキカートリッジ６を袋状部４に収容した場合であっても、前記の構成で空間部４１（接着部５）を設けた筆記具用インキカートリッジ包装体１であるため、落下によるインキ漏れを確実に抑制できるものとなる。
【図面の簡単な説明】
【００２７】
【図１】本発明の筆記具用インキカートリッジ包装体の一実施例を示す外面図である。
【符号の説明】
【００２８】
１  筆記具用インキカートリッジ包装体
２  包装材
２１  仕切部
３  ヘッダ
３１  孔部
４  袋状部
５  接着部
６  インキカートリッジ
７  カートリッジ本体
７１  インキ収容部
７２  開口部
８  栓体
９  インキ
【図１】
2009107650.tif 000003